(57)【要約】【課題】  従来、ナビゲーション装置において、誘導が必要な場所に近づくと、詳細な誘導を行うための情報を提示する技術があるが、ナビゲーション装置の画面が小さい場合や交差点形状が複雑な場合に、詳細な誘導内容を理解するのは難しい場合がある。  本発明の目的は、誘導経路を見誤らないように誘導情報を提示する技術を提供することにある。【解決手段】  本発明のナビゲーション装置は、推奨経路上の次の交差点までの距離を算出し、交差点において進行すべき方向を特定し、交差点の特性に対応付けて、交差点までの距離が所定の距離よりも短い場合に、進行すべき方向に応じて表示を変化させることを特徴とする。【選択図】図６
2011043473.tif 000002
【特許請求の範囲】
【請求項１】
画像を表示する表示領域を備えた表示手段と、
推奨経路上の次の交差点までの距離を算出する交差点距離算出手段と、
前記推奨経路を走行するために前記交差点において進行すべき方向である進行方向を特定する進行方向特定手段と、
前記進行方向を提示するために前記画像よりも外側に備えられた指示方向出力手段と、
前記交差点距離算出手段により算出した距離が所定の距離よりも短い場合に、前記進行方向特定手段により特定した前記進行方向に応じて前記指示方向出力手段の表示を変化させる表示変化手段と、
を備えたことを特徴とするナビゲーション装置。
【請求項２】
画像を表示する表示領域を備えた表示手段と、
推奨経路上の次の交差点までの距離を算出する交差点距離算出手段と、
前記推奨経路を走行するために前記交差点において進行すべき方向である進行方向を特定する進行方向特定手段と、
前記交差点の特性に対応付けて、前記表示領域のうち前記画像の外周の一部を分割した複数の分割領域を設ける分割領域設定手段と、
前記交差点距離算出手段により算出した距離が所定の距離よりも短い場合に、前記進行方向特定手段により特定した前記進行方向に応じた前記分割領域の表示を変化させる表示変化手段と、
を備えたことを特徴とするナビゲーション装置。
【請求項３】
請求項２に記載のナビゲーション装置であって、
前記分割領域設定手段は、前記表示領域の外縁から内側に所定の幅を有する領域を分割対象として前記分割領域とする、
ことを特徴とするナビゲーション装置。
【請求項４】
請求項２または３に記載のナビゲーション装置であって、
前記分割領域設定手段は、前記交差点の形状に応じて前記分割領域を設ける、
ことを特徴とするナビゲーション装置。
【請求項５】
請求項２〜４のいずれか一項に記載のナビゲーション装置であって、
前記対応付け手段は、前記交差点の分岐の数に応じて前記分割領域の数を決定する、
ことを特徴とするナビゲーション装置。
【請求項６】
請求項２〜５のいずれか一項に記載のナビゲーション装置であって、
前記表示変化手段は、前記進行方向の道路の種類に応じて表示を変化させる、
ことを特徴とするナビゲーション装置。
【請求項７】
請求項２〜６のいずれか一項に記載のナビゲーション装置であって、
前記表示変化手段は、前記進行方向の道路の種類が一般道路であるか有料道路であるかに応じて表示を変化させる、
ことを特徴とするナビゲーション装置。
【請求項８】
請求項２〜７のいずれか一項に記載のナビゲーション装置であって、
前記表示変化手段は、さらに、前記交差点距離算出手段により算出した距離に応じて表示を変化させる、
ことを特徴とするナビゲーション装置。
【請求項９】
請求項２〜８のいずれか一項に記載のナビゲーション装置であって、
前記表示変化手段は、さらに、時間の経過とともに表示を変化させる、
ことを特徴とするナビゲーション装置。
【請求項１０】
請求項２〜９のいずれか一項に記載のナビゲーション装置であって、
前記表示変化手段は、進行方向に応じて表示を変化させる、
ことを特徴とするナビゲーション装置。
【請求項１１】
請求項２〜１０のいずれか一項に記載のナビゲーション装置であって、
前記表示変化手段は、さらに、前記分割領域以外の前記表示領域に、前記交差点の進行方向を案内する画像を表示させる、
ことを特徴とするナビゲーション装置。
【請求項１２】
請求項１に記載のナビゲーション装置であって、
前記表示手段は、ディスプレイ装置により構成され、
前記指示方向出力手段は、前記ディスプレイ装置の外周に設けられた発光部材により構成される、
ことを特徴とするナビゲーション装置。
【請求項１３】
ナビゲーション装置の誘導方法であって、
前記ナビゲーション装置は、
画像を表示する表示領域を備えた表示手段を備え、
推奨経路上の次の交差点までの距離を算出する交差点距離算出ステップと、
前記推奨経路を走行するために前記交差点において進行すべき方向である進行方向を特定する進行方向特定ステップと、
前記交差点の特性に対応付けて、前記表示領域のうち前記画像の外周の一部を分割した複数の分割領域を設ける分割領域設定ステップと、
前記交差点距離算出ステップにより算出した距離が所定の距離よりも短い場合に、前記進行方向特定ステップにより特定した前記進行方向に応じた前記分割領域の表示を変化させる表示変化ステップと、
を実施することを特徴とする誘導方法。
【請求項１４】
請求項１３に記載の誘導方法であって、
前記分割領域設定ステップでは、前記表示領域の外縁から内側に所定の幅を有する領域を分割対象として前記分割領域とする、
ことを特徴とする誘導方法。
【請求項１５】
請求項１３または１４に記載の誘導方法であって、
前記分割領域設定ステップでは、前記交差点の形状に応じて前記分割領域を設ける、
ことを特徴とする誘導方法。
【請求項１６】
請求項１３〜１５のいずれか一項に記載の誘導方法であって、
前記分割領域設定ステップでは、前記交差点の分岐の数に応じて前記分割領域の数を決定する、
ことを特徴とする誘導方法。
【請求項１７】
請求項１３〜１６のいずれか一項に記載の誘導方法であって、
前記表示変化ステップでは、前記進行方向の道路の種類に応じて表示を変化させる、
ことを特徴とする誘導方法。
【発明の詳細な説明】
【技術分野】
【０００１】
本発明は、ナビゲーション装置の誘導に関するものである。
【背景技術】
【０００２】
従来、ナビゲーション装置において、誘導が必要な場所に近づくと、詳細な誘導を行うための情報を提示する技術がある。
【０００３】
特許文献１には、このようなナビゲーション装置についての技術が記載されている。
【先行技術文献】
【特許文献】
【０００４】
【特許文献１】特開平５−２９６７７４号公報
【発明の概要】
【発明が解決しようとする課題】
【０００５】
上記のようなナビゲーション技術では、ナビゲーション装置の画面が小さい場合や交差点形状が複雑な場合に、詳細な誘導内容を理解するのは難しい場合がある。
【０００６】
本発明の目的は、誘導経路を見誤らないように誘導情報を提示する技術を提供することにある。
【課題を解決するための手段】
【０００７】
上記課題を解決すべく、本発明に係るナビゲーション装置は、画像を表示する表示領域を備えた表示手段と、推奨経路上の次の交差点までの距離を算出する交差点距離算出手段と、前記推奨経路を走行するために前記交差点において進行すべき方向である進行方向を特定する進行方向特定手段と、前記進行方向を提示するために前記画像よりも外側に備えられた指示方向出力手段と、前記交差点距離算出手段により算出した距離が所定の距離よりも短い場合に、前記進行方向特定手段により特定した前記進行方向に応じて前記指示方向出力手段の表示を変化させる表示変化手段と、を備えたことを特徴とする。
【０００８】
また、本発明に係るナビゲーション装置は、画像を表示する表示領域を備えた表示手段と、推奨経路上の次の交差点までの距離を算出する交差点距離算出手段と、前記推奨経路を走行するために前記交差点において進行すべき方向である進行方向を特定する進行方向特定手段と、前記交差点の特性に対応付けて、前記表示領域のうち前記画像の外周の一部を分割した複数の分割領域を設ける分割領域設定手段と、前記交差点距離算出手段により算出した距離が所定の距離よりも短い場合に、前記進行方向特定手段により特定した前記進行方向に応じた前記分割領域の表示を変化させる表示変化手段と、を備えたことを特徴とする。
【０００９】
また、本発明に係る誘導方法は、ナビゲーション装置の誘導方法であって、ナビゲーション装置は、画像を表示する表示領域を備えた表示手段を備え、推奨経路上の次の交差点までの距離を算出する交差点距離算出ステップと、前記推奨経路を走行するために前記交差点において進行すべき方向である進行方向を特定する進行方向特定ステップと、前記交差点の特性に対応付けて、前記表示領域のうち前記画像の外周の一部を分割した複数の分割領域を設ける分割領域設定ステップと、前記交差点距離算出ステップにより算出した距離が所定の距離よりも短い場合に、前記進行方向特定ステップにより特定した前記進行方向に応じた前記分割領域の表示を変化させる表示変化ステップと、を実施することを特徴とする。
【図面の簡単な説明】
【００１０】
【図１】図１は、ナビゲーション装置のハードウェア構成図である。
【図２】図２は、演算処理部の機能構成図である。
【図３】図３は、リンクテーブルの構成例を示す図である。
【図４】図４は、交差点分割情報テーブルの構成例を示す図である。
【図５】図５は、交差点案内処理の流れを示す図である。
【図６】図６は、交差点案内処理による画面遷移例を示す図である。
【図７】図７は、交差点案内処理による画面遷移例を示す図である。
【図８】図８は、ディスプレイ装置の外観を示す図である。
【発明を実施するための形態】
【００１１】
以下に、本発明の一実施形態を適用したナビゲーション装置１００について、図面を参照して説明する。
【００１２】
図１に、ナビゲーション装置１００の構成図を示す。
【００１３】
ナビゲーション装置１００は、演算処理部１と、ディスプレイ２と、記憶装置３と、音声入出力装置４（音声入力装置としてマイクロフォン４１、音声出力装置としてスピーカ４２を備える）と、入力装置５と、ＲＯＭ装置６と、車速センサ７と、ジャイロセンサ８と、ＧＰＳ(Global Positioning System)受信装置９と、ＦＭ多重放送受信装置１０と、ビーコン受信装置１１と、を備えている。
【００１４】
演算処理部１は、様々な処理を行う中心的ユニットである。例えば各種センサ７,８やＧＰＳ受信装置９、ＦＭ多重放送受信装置１０等から出力される情報を基にして現在地を検出する。また、得られた現在地情報に基づいて、表示に必要な地図データを記憶装置３あるいはＲＯＭ装置６から読み出す。
【００１５】
また、演算処理部１は、読み出した地図データをグラフィックス展開し、そこに現在地を示すマークを重ねてディスプレイ２へ表示する。また、記憶装置３あるいはＲＯＭ装置６に記憶されている地図データ等を用いて、ユーザから指示された出発地（現在地）と目的地とを結ぶ最適な経路（推奨経路）を探索する。また、スピーカ４２やディスプレイ２を用いてユーザを誘導する。
【００１６】
ナビゲーション装置１００の演算処理部１は、各デバイス間をバス２５で接続した構成である。演算処理部１は、数値演算及び各デバイスを制御するといった様々な処理を実行するＣＰＵ(Central Processing Unit)２１と、記憶装置３から読み出した地図データ、演算データなどを格納するＲＡＭ(Random Access Memory)２２と、プログラムやデータを格納するＲＯＭ(Read Only Memory)２３と、各種ハードウェアを演算処理部１と接続するためのＩ／Ｆ（インターフェイス）２４と、を有する。
【００１７】
図２は、演算処理部１の機能ブロック図である。
【００１８】
図示するように、演算処理部１は、主制御部１０１と、入力受付部１０２と、出力処理部１０３と、交差点接近検知部１０４と、進行方向特定部１０５と、進行方向提示部１０６と、を有する。
【００１９】
主制御部１０１は、様々な処理を行う中心的な機能部であり、処理内容に応じて、他の処理部を制御する。また、ＧＰＳ受信装置９等の情報に基づき、現在位置を特定する。また、随時、走行した日付および時刻と、位置と、を対応付けて、リンクごとに走行履歴を記憶装置３に記憶する。さらに、各処理部からの要求に応じて、現在時刻を出力する。
【００２０】
入力受付部１０２は、入力装置５またはマイクロフォン４１を介して入力された使用者からの指示を受け付け、その要求内容に対応する処理を実行するように演算処理部１の各部を制御する。例えば、使用者が推奨経路の探索を要求したときは、目的地を設定するため、地図をディスプレイ２に表示する処理を出力処理部１０３に要求する。また、地図表示画面をスクロールする方向と、スクロール速度を指定する情報と、に関する入力を受け付ける。
【００２１】
出力処理部１０３は、表示させる画面情報を受け取り、ディスプレイ２に描画するための信号に変換してディスプレイ２に対して描画する指示を行う。例えば、主制御部１０１により決定された表示領域に含まれる地図情報等をディスプレイ２に描画させる。
【００２２】
交差点接近検知部１０４は、主制御部１０１により案内されている推奨経路上で、ナビゲーション装置１００が搭載された車両（以降、「自車」とする。）が次に接近する交差点または分岐点までの距離を計測し、所定の距離内に近づいているか否かを判定する。また、当該交差点または分岐点を通過した場合には、通過済みであると判定する。また、交差点接近検知部１０４は、併せて、当該交差点または分岐点までの距離、または当該距離に応じた情報の出力を行うものであってもよい。
【００２３】
進行方向特定部１０５は、主制御部１０１により案内されている推奨経路上で、自車が次に接近する交差点または分岐点において、進行すべき方向を特定する。例えば、次に接近する交差点で左折を行う経路が推奨経路に含まれている場合、当該交差点の進行方向を「左」として特定する。
【００２４】
進行方向提示部１０６は、主制御部１０１が交差点の詳細の案内（例えば拡大表示）を行う際に、画面の外縁部から所定の幅（例えば１センチ）だけ内側に方向提示領域を設け、当該方向提示領域を交差点の特性（形状や交差する道路の数等）または進行方向等に応じて強調表示するよう出力処理部１０３に指示することで、進行方向を使用者に一目瞭然に提示する。
【００２５】
なお、上記した演算処理部１の各機能部、すなわち主制御部１０１、入力受付部１０２、出力処理部１０３、交差点接近検知部１０４、進行方向特定部１０５、進行方向提示部１０６は、ＣＰＵ２１が所定のプログラムを読み込み実行することにより構築される。そのため、ＲＡＭ２２には、各機能部の処理を実現するためのプログラムが記憶されている。
【００２６】
なお、上記した各構成要素は、ナビゲーション装置１００の構成を理解容易にするために、主な処理内容に応じて分類したものである。そのため、構成要素の分類の仕方やその名称によって、本願発明が制限されることはない。ナビゲーション装置１００の構成は、処理内容に応じて、さらに多くの構成要素に分類することもできる。また、１つの構成要素がさらに多くの処理を実行するように分類することもできる。
【００２７】
また、各機能部は、ハードウェア（ＡＳＩＣ、ＧＰＵなど）により構築されてもよい。また、各機能部の処理が一つのハードウェアで実行されてもよいし、複数のハードウェアで実行されてもよい。
【００２８】
図１の説明に戻る。
【００２９】
ディスプレイ２は、演算処理部１等で生成されたグラフィックス情報を表示するユニットである。ディスプレイ２は、液晶ディスプレイ、有機ＥＬディスプレイなどで構成される。
【００３０】
記憶装置３は、ＨＤＤや不揮発性メモリカードといった、少なくとも読み書きが可能な記憶媒体で構成される。
【００３１】
この記憶媒体には、通常の経路探索装置に必要な地図データ（地図上の道路を構成するリンクのリンクデータを含む）であるリンクテーブル２００と、交差点の進入道路ごとに方向提示領域を分割する形状を決定するための交差点分割情報テーブル２５０と、が記憶されている。
【００３２】
図３は、リンクテーブル２００の構成を示す図である。リンクテーブル２００は、地図上の区画された領域であるメッシュの識別コード（メッシュＩＤ）２０１ごとに、そのメッシュ領域に含まれる道路を構成する各リンクのリンクデータ２０２を含んでいる。
【００３３】
リンクデータ２０２は、リンクの識別子であるリンクＩＤ２１１ごとに、リンクを構成する２つのノード（開始ノード、終了ノード）の座標情報２２２、リンクを含む道路の種別を示す道路種別２２３、リンクの長さを示すリンク長２２４、予め記憶されたリンク旅行時間２２５、リンクを通行することができるか否かを示す通行可否２２６、リンクを含む道路の通称（例えば、「環八通り」等）を示す通称２２７、などを含んでいる。
【００３４】
このうち、道路種別２２３は、例えば、有料道路または高速道路と一般道路とを区別する情報である。もしくは、一般道路のうちさらに国道、県道等の種類を区別する情報である。
【００３５】
なお、ここでは、リンクを構成する２つのノードについて開始ノードと終了ノードとを区別することで、同じ道路の上り方向と下り方向とを、それぞれ別のリンクとして管理するようにしている。
【００３６】
図４は、交差点分割情報テーブル２５０の構成を示す図である。交差点分割情報テーブル２５０は、進行方向を提示するための方向提示領域を分割する態様（形状、数等）を特定する情報を格納するテーブルである。
【００３７】
交差点分割情報テーブル２５０は、交差点を特定する交差点ノード２５１と、交差点ノード２５１で特定される交差点に進入する道路を特定する進入リンク２５２と、進入リンク２５２で特定される道路から交差点ノード２５１で特定される交差点へ進入する場合に方向提示領域を分割する形状を特定する分割形状２５３と、を含んでいる。
【００３８】
すなわち、交差点分割情報テーブル２５０には、交差点と、その交差点への進入道路に応じて、方向提示領域の分割形状を特定することのできる情報が格納される。
【００３９】
図１に戻って説明する。音声入出力装置４は、音声入力装置としてマイクロフォン４１と、音声出力装置としてスピーカ４２と、を備える。マイクロフォン４１は、使用者やその他の搭乗者が発した声などのナビゲーション装置１００の外部の音声を取得する。
【００４０】
スピーカ４２は、演算処理部１で生成された使用者へのメッセージを音声信号として出力する。マイクロフォン４１とスピーカ４２は、車両の所定の部位に、別個に配されている。ただし、一体の筐体に収納されていても良い。ナビゲーション装置１００は、マイクロフォン４１及びスピーカ４２を、それぞれ複数備えることができる。
【００４１】
入力装置５は、使用者からの指示を使用者による操作を介して受け付ける装置である。入力装置５は、タッチパネル５１と、ダイヤルスイッチ５２と、その他のハードスイッチ（図示しない）であるスクロールキー、縮尺変更キーなどで構成される。
【００４２】
タッチパネル５１は、ディスプレイ２の表示面側に搭載され、表示画面を透視可能である。タッチパネル５１は、ディスプレイ２に表示された画像のＸＹ座標と対応したタッチ位置を特定し、タッチ位置を座標に変換して出力する。タッチパネル５１は、感圧式または静電式の入力検出素子などにより構成される。
【００４３】
ダイヤルスイッチ５２は、時計回り及び反時計回りに回転可能に構成され、所定の角度の回転ごとにパルス信号を発生し、演算処理部１に出力する。演算処理部１では、パルス信号の数から、回転角度を求める。
【００４４】
ＲＯＭ装置６は、ＣＤ-ＲＯＭやＤＶＤ-ＲＯＭ等のＲＯＭ（Read Only Memory）や、ＩＣ（Integrated Circuit）カードといった、少なくとも読み取りが可能な記憶媒体で構成されている。この記憶媒体には、例えば、動画データや、音声データなどが記憶されている。
【００４５】
車速センサ７,ジャイロセンサ８およびＧＰＳ受信装置９は、ナビゲーション装置１００で現在地（自車位置）を検出するために使用されるものである。
【００４６】
車速センサ７は、車速を算出するのに用いる値を出力するセンサである。
【００４７】
ジャイロセンサ８は、光ファイバジャイロや振動ジャイロ等で構成され、移動体の回転による角速度を検出するものである。
【００４８】
ＧＰＳ受信装置９は、ＧＰＳ衛星からの信号を受信し移動体とＧＰＳ衛星間の距離と距離の変化率とを３個以上の衛星に対して測定することで移動体の現在位置、進行速度および進行方位を測定するものである。
【００４９】
ＦＭ多重放送受信装置１０は、ＦＭ多重放送局から送られてくるＦＭ多重放送信号を受信する。ＦＭ多重放送には、ＶＩＣＳ（Vehicle Information Communication System：登録商標）情報の概略現況交通情報、規制情報、ＳＡ／ＰＡ（サービスエリア／パーキングエリア）情報、駐車場情報、天気情報などやＦＭ多重一般情報としてラジオ局が提供する文字情報などがある。
【００５０】
ビーコン受信装置１１は、ＶＩＣＳ情報などの概略現況交通情報、規制情報、ＳＡ／ＰＡ（サービスエリア／パーキングエリア）情報、駐車場情報、天気情報や緊急警報などを受信する。例えば、光により通信する光ビーコン、電波により通信する電波ビーコン等の受信装置である。
＜動作の説明＞
次に、ナビゲーション装置１００の動作について説明する。
【００５１】
図５は、ナビゲーション装置１００が、推奨経路の経路案内を行っている場合に、交差点において詳細な誘導情報を提示する際に実施される交差点案内処理の処理フロー図である。
【００５２】
まず、ナビゲーション装置１００は、自車の現在位置が誘導情報を提示するべき交差点に接近しているか否かを判定する（ステップＳ００１）。
【００５３】
具体的には、ナビゲーション装置１００の交差点接近検知部１０４は、主制御部１０１から自車の現在位置を取得し、推奨経路上にある次の交差点までの距離を算出する。算出した距離が所定の距離（例えば一般道であれば交差点から２００ｍ、有料道路等の車両専用道路であれば分岐から５００ｍ等。）内にあるか否かを判定する。
【００５４】
算出した距離が所定の距離内にない場合（ステップＳ００１にて「Ｎｏ」）、主制御部１０１は、ステップＳ００１から処理を再度実施する。
【００５５】
算出した距離が所定の距離内にある場合（ステップＳ００１にて「Ｙｅｓ」）、進行方向提示部１０６は、ディスプレイ２に表示されている画面のうち、外縁から内側に所定の幅（例えば１センチ）を有する方向提示領域を設け、ディスプレイ２に表示させる（ステップＳ００２）。
【００５６】
次に、進行方向提示部１０６は、交差点の特性、特に形状に応じて、方向提示領域を複数の領域に分割する（ステップＳ００３）。
【００５７】
具体的には、進行方向提示部１０６は、ステップＳ００１にて接近を検知した交差点を特定する交差点ノードと、当該交差点へ進入する道路のリンクを特定する情報を取得する。そして、交差点分割情報テーブル２５０を読み出して、取得した交差点ノードと当該交差点ノードに進入するリンクとに対応する分割形状２５３を取得する。そして、進行方向提示部１０６は、ステップＳ００２において設定した方向提示領域を分割形状２５３に応じて複数の領域に分割して、ディスプレイ２に表示させる。
【００５８】
次に、進行方向特定部１０５は、経路案内をしている推奨経路上で、ステップＳ００１で接近を検知した交差点を進行する方向を特定する。そして、進行方向提示部１０６は、進行方向特定部１０５が特定した方向に対応する方向提示領域の分割領域を強調表示する（ステップＳ００４）。
【００５９】
例えば、進行方向提示部１０６は、分割領域を強調表示する方法として、所定の色を有する図形（例えば、青色に表示される矩形）を分割領域に表示するようにする。
【００６０】
また例えば、進行方向提示部１０６は、進行する方向にある道路の種別（有料道路、高速道路、一般道、国道、県道、市道等）に応じて、分割領域に表示させる当該図形の色を特定するようにしてもよい。
【００６１】
また例えば、進行方向提示部１０６は、分割領域を強調表示する際に、分割領域に表示させる位置に応じて所定の色の階調を変化させて表示することで、グラデーションを表示するようにしてもよい。
【００６２】
また例えば、進行方向提示部１０６は、分割領域を強調表示する際に、進行する方向に応じて、所定の色を有する図形を分割領域に表示してもよい。右折時は青、左折時は緑、等の所定の色の図形である。
【００６３】
次に、交差点接近検知部１０４は、ステップＳ００１にて接近を検知した交差点を通過したか否かを判定する（ステップＳ００５）。
【００６４】
交差点を通過した場合（ステップＳ００５にて「Ｙｅｓ」）、主制御部１０１は、交差点案内処理を終了する。
【００６５】
交差点を通過していない場合（ステップＳ００５にて「Ｎｏ」）、進行方向提示部１０６は、ステップＳ００４を再度実行する。
【００６６】
以上が、交差点案内処理の内容である。
【００６７】
交差点案内処理を行う事によって、ナビゲーション装置１００は、交差点で進行方向に対応する方向提示領域を目立たせることができるため、使用者は複雑な交差点でも進行方向を一目の元に把握しやすくなる。
【００６８】
図６、図７は、交差点案内処理において出力される画面の表示例を示す図である。
【００６９】
図６（ａ）は、自車位置を示す自車マーク３０１が地図上に重畳されて表示される画面３００の例を示す図である。画面３００においては、自車マーク３０１の進行方向前方にある五叉路交差点３０２が示されている。なお、ナビゲーション装置１００が経路案内を行っている推奨経路では、五叉路交差点３０２にて、右前方に進行する経路が設定されている。
【００７０】
図６（ｂ）は、図６（ａ）の状況から五叉路交差点３０２に接近した際に示される詳細案内画面３５０の例を示す図である。詳細案内画面３５０は、画面の外縁部から内側に所定の幅で表示される方向提示領域３６０と、詳細案内表示領域３７０と、を有する。
【００７１】
方向提示領域３６０は、さらに、五叉路交差点３０２の形状に応じて、４方向以上の方向を示すことができるように、左方表示領域３６０Ｌと、左前方表示領域３６０ＬＦと、前方表示領域３６０Ｆと、右前方表示領域３６０ＲＦと、右方表示領域３６０Ｒと、の分割領域を有する。
【００７２】
各分割領域は、それぞれ独立した色、形状を備える画像を表示することができる。もちろん、分割した領域をまたがって一つまたは複数の画像を表示させることも可能である。
【００７３】
詳細案内表示領域３７０は、地図表示領域３８０と、交差点案内表示領域３９０と、を有する。
【００７４】
地図表示領域３８０は、自車の位置を示す自車マーク３８１を、地図画像に重畳させた画像を表示する。
【００７５】
交差点案内表示領域３９０は、自車の前方にある交差点の形状を示す図と、当該交差点において推奨経路上で走行すべき道路を示す図である矢印３９１と、を表示する。なお、交差点の形状を示す図は、上方から見下ろした図でもよいし、鳥瞰図的を用いて地図を立体的に表示させる図であってもよい。
【００７６】
図６（ｂ）においては、五叉路交差点３０２を右前方に進行するのが推奨経路であるから、右前方表示領域３６０ＲＦが強調表示され、他の分割領域は黒色表示される。
【００７７】
図７（ａ）は、自車位置を示す自車マーク４０１が地図上に重畳されて表示される画面４００の例を示す図である。画面４００においては、自車マーク４０１の進行方向前方にある三叉路交差点４０２が示されている。なお、ナビゲーション装置１００が経路案内を行っている推奨経路では、三叉路交差点４０２にて、右方（県道５５号方面）の道路に進行する経路が設定されている。
【００７８】
図７（ｂ）は、図７（ａ）の状況から三叉路交差点４０２に接近した際に示される詳細案内画面４５０の例を示す図である。詳細案内画面４５０は、画面の外縁部から内側に所定の幅で表示される方向提示領域４６０と、詳細案内表示領域４７０と、を有する。
【００７９】
方向提示領域４６０は、さらに、三叉路交差点４０２の形状に応じて、２方向以上の方向を示すことができるように、前方表示領域４６０Ｆと、右前方表示領域４６０ＲＦと、の分割領域を有する。この場合、前方（国道６号方面）の道路と前方表示領域４６０Ｆとが対応づけられ、右方（県道５５号方面）の道路と右前方表示領域４６０ＲＦとが対応付けられている。
【００８０】
各分割領域は、それぞれ独立した色、形状を備える画像を表示することができる。もちろん、分割した領域をまたがって一つまたは複数の画像を表示させることも可能である。
【００８１】
詳細案内表示領域４７０は、地図表示領域４８０と、交差点案内表示領域４９０と、を有する。
【００８２】
地図表示領域４８０は、自車の位置を示す自車マーク４８１を、地図画像に重畳させた画像を表示する。
【００８３】
交差点案内表示領域４９０は、自車の前方にある交差点の形状を示す図と、当該交差点において推奨経路上で走行すべき道路を示す図である矢印４９１と、を表示する。なお、交差点の形状を示す図は、上方から見下ろした図でもよいし、鳥瞰図的を用いて地図を立体的に表示させる図であってもよい。
【００８４】
図７（ｂ）においては、三叉路交差点４０２を右方に進行するのが推奨経路であるから、右方の道路に対応する右前方表示領域４６０ＲＦが強調表示され、他の分割領域は黒色表示される。
【００８５】
以上、本発明の一実施形態について説明した。
【００８６】
本発明の一実施形態によると、ナビゲーション装置１００は、経路案内する交差点の進行方向を、画面の外縁部に直感的に表示することができるため、運転者は、運転中にディスプレイ２に表示される画面を一見するだけで、進行すべき方向がわかるようになる。
【００８７】
本発明は、上記実施形態に制限されない。上記実施形態は、本発明の技術的思想の範囲内で様々な変形が可能である。
【００８８】
例えば、上記実施形態の交差点案内処理は、ナビゲーション装置１００が詳細案内画面以外の画面、例えばオーディオ情報の表示画面など推奨経路と関係ない画面を表示している場合に、方向提示領域をオーディオ画面の周囲に表示させて方向を提示するようにしてもよい。
【００８９】
このようにすることで、使用者が地図情報を表示させていない場合においても、使用者は推奨経路に沿って走行することが可能となる。
【００９０】
また、上記実施形態の交差点案内処理のステップＳ００４において、例えば点滅表示等時間の経過に沿って表示内容が変化するような強調表示を行うようにしてもよい。例えば、交差点までの到着予想時間を主制御部１０１にて算出し、当該予想時間に応じて点滅頻度を高くするようにしてもよい。
【００９１】
また、強調表示する分割領域の一部のみを強調表示させ、当該強調表示させた一部を強調表示する分割領域内で時間の経過に応じて移動させることでフラッシャーのように強調表示してもよい。
【００９２】
また、交差点までの距離が近くなるにしたがって、強調表示する分割領域の表示の輝度を上げたり、コントラストを上げたり、シャープネスを高めたりするようにしてもよい。
【００９３】
また、交差点までの距離が近くなるにしたがって、強調表示する分割領域の幅を太くするようにしてもよい。
【００９４】
このようにすることで、強調の度合いを高めることができ、使用者はより表示に気づき易くなり、より素早く進行すべき方向を把握できるようになる。
【００９５】
また、上記実施形態においては、ディスプレイ２の画面表示の領域に方向提示領域を設けているが、これに限られない。例えば、ディスプレイ２の画面表示領域以外の筐体の外面等にＬＥＤなどの発光部材を設けて、当該発光部材を発光させて強調表示するようにしてもよい。
【００９６】
図８は、このような変形によるナビゲーション装置１００のディスプレイ装置５００の外観を示す図である。図８（ａ）は、ディスプレイ装置５００の外観の斜視図である。なお、ディスプレイ装置５００の画像表示面５０１が、向かって左手前に配置するようにしている。図８（ｂ）は、ディスプレイ装置５００を用いて強調表示を行っている状態を示す正面図である。
【００９７】
なお、以下において、「右」及び「左」は、ディスプレイ装置５００の画像表示面５０１を手前にして置いたときを基準とする。
【００９８】
図８（ａ）に示すように、ディスプレイ装置５００は、画像表示面５０１を形成する表示パネル５０２と、外側筐体５０３と、を有する。
【００９９】
表示パネル５０２は、例えばナビゲーションを行うのに必要となる画像等を表示する液晶パネルまたは有機ＥＬパネル等を有し、ナビゲーション装置１００の出力処理部１０３等により出力指示された情報を画像として表示する。
【０１００】
外側筐体５０３は、画像表示面５０１を正面とする扁平直方体形状の部材であり、右側面５１０と、左側面５２０と、天面５３０と、底面（図示しない）と、背面（図示しない）とを備える。なお、外側筐体５０３は、樹脂、あるいはカーボンや金属等により形成されている。
【０１０１】
外側筐体５０３の右側面５１０と、左側面５２０と、には、ＬＥＤなどの発光素子が組み込まれた発光部材５１１、５２１、がそれぞれ取り付けられている。また、天面５３０には、左から順に、発光部材５３１Ｌ、５３１Ｆ、５３１Ｒが取り付けられている。
【０１０２】
発光部材５１１、５２１、５３１Ｌ、５３１Ｆ、５３１Ｒのそれぞれは、発光タイミングや輝度についての出力処理部１０３等からの指示を受けて、指示に応じて発光する。
【０１０３】
図５における交差点案内処理のステップＳ００３において、進行方向提示部１０６が、交差点の特性、特に形状に応じて、発光させる発光部材５１１、５２１、５３１Ｌ、５３１Ｆ、５３１Ｒを特定する。
【０１０４】
そして、交差点案内処理のステップＳ００４において、進行方向提示部１０６が、進行方向特定部１０５が特定した方向に対応する発光部材５１１、５２１、５３１Ｌ、５３１Ｆ、５３１Ｒを発光させる。なお、発光の態様として、点灯、点滅、弱く発光、強く発光する等様々な態様が可能である。
【０１０５】
図８（ｂ）には、表示パネル５０２に交差点の進行方向（右前方）を示す画面が示され、当該進行方向（右前方）に応じた発光部材５３１Ｒが点滅して発光している状態のディスプレイ装置５００の例が示されている。
【０１０６】
このようにすることで、ディスプレイ装置５００の表示領域である表示パネル５０２の外側の部分を用いて使用者に曲がるべき方向を提示することができるため、表示領域を狭めることがない。つまり、詳細案内表示領域３７０、４７０の表示面積が小さくなりすぎることを回避することができる。
【０１０７】
また例えば、上記実施形態においては、交差点案内処理のステップＳ００２〜Ｓ００４にて、交差点を直進する場合には、方向提示領域を表示しないようにしてもよい。
【０１０８】
このようにすることで、特に車両の進行方向を変える必要がない場合には、使用者の視覚をいたずらに刺激することなく推奨経路を案内することができる。
【０１０９】
以上が、変形の例である。
【０１１０】
なお、上記の実施形態では、本発明を車載用のナビゲーション装置に適用した例について説明したが、本発明は車載用以外のナビゲーション装置にも適用することができる。
【符号の説明】
【０１１１】
１・・・演算処理部、２・・・ディスプレイ、３・・・記憶装置、４・・・音声出入力装置、５・・・入力装置、６・・・ＲＯＭ装置、７・・・車速センサ、８・・・ジャイロセンサ、９・・・ＧＰＳ受信装置、１０・・・ＦＭ多重放送受信装置、１１・・・ビーコン受信装置、２１・・・ＣＰＵ、２２・・・ＲＡＭ、２３・・・ＲＯＭ、２４・・・Ｉ／Ｆ、２５・・・バス、４１・・・マイクロフォン、４２・・・スピーカ、５１・・・タッチパネル、５２・・・ダイヤルスイッチ、１００・・・ナビゲーション装置、１０１・・・主制御部、１０２・・・入力受付部、１０３・・・出力処理部、１０４・・・交差点接近検知部、１０５・・・進行方向特定部、１０６・・・進行方向提示部、２００・・・リンクテーブル、２５０・・・交差点分割情報テーブル、５００・・・ディスプレイ装置、５１１、５２１、５３１Ｌ、５３１Ｆ、５３１Ｒ・・・発光部材
【図１】
2011043473.tif 000003
【図２】
2011043473.tif 000004
【図３】
2011043473.tif 000005
【図４】
2011043473.tif 000006
【図５】
2011043473.tif 000007
【図６】
2011043473.tif 000008
【図７】
2011043473.tif 000009
【図８】
2011043473.tif 000010